(57)【要約】【課題】複数の回路基板が同じ電源から供給を受けている電子回路システムで、電源供給に関わる故障を容易かつ的確に特定すること。【解決手段】複数の回路基板３１，３２…の各々に設けられ、各回路基板３１，３２…と電源との回路を各々開閉できる切り離し部３１１，３１２，３２１，３２２…と、複数の回路基板３１，３２…の各々に設けられ、各回路基板３１，３２…へ供給される電源の電位が所定の範囲外になった場合に故障発生の警告を出力する電位監視部２と、電位監視部２によって故障発生の警告が出力された場合、各回路基板３１，３２…の切り離し部部３１１，３１２，３２１，３２２…を順番に開閉するスイッチ制御手段とを備えており、スイッチ制御手段による切り離し部３１１，３１２，３２１，３２２…の開閉によって電位監視部２からの警告が出力されてなくなることによって故障の発生した回路基板３１，３２…を特定するものである。【選択図】　　　　図１
2004109056.tif 000002
【特許請求の範囲】
【請求項１】
複数の回路基板が同じ電源から供給を受けている電子回路システムで、各々の回路基板の故障を検出する電源供給監視装置において、
前記複数の回路基板の各々に設けられ、各回路基板と前記電源との回路を各々開閉できるスイッチ手段と、
前記複数の回路基板の各々に設けられ、各回路基板へ供給される電源の電位が所定の範囲外になった場合に故障発生の警告を出力する電位監視手段と、
前記電位監視手段によって故障発生の警告が出力された場合、前記各回路基板のスイッチ手段を順番に開閉するスイッチ制御手段とを備えており、
前記スイッチ制御手段による前記スイッチ手段の開閉によって前記電位監視手段からの警告が出力されなくなることによって故障箇所を特定する
ことを特徴とする電源供給監視装置。
【請求項２】
複数種類の電源が前記複数の回路基板に供給されている場合、各電源ごとに前記スイッチ手段、前記電位監視手段、前記スイッチ制御手段を備えており、前記スイッチ制御手段は制御するスイッチ手段と接続される電源とは異なる電源によって駆動する
ことを特徴とする請求項１記載の電源供給監視装置。
【請求項３】
前記スイッチ手段には、ある一定値以上の電流が流れた場合に自動的に接続を切る切断手段が直列に設けられている
ことを特徴とする請求項１記載の電源供給監視装置。
【請求項４】
前記複数の回路基板が電源に対して直列に接続されている場合、前記スイッチ制御手段によるスイッチ手段の開閉は、電源に対して後段に接続されている回路基板のスイッチ手段から前段に接続されている回路基板にかけて順に開動作していく
ことを特徴とする請求項１記載の電源供給監視装置。
【請求項５】
複数の回路基板が同じ電源から供給を受けている電子回路システムで、各々の回路基板の故障を検出する電源供給監視方法において、
予め、前記複数の回路基板の各々に、各回路基板と前記電源との回路を各々開閉できるスイッチ手段と、前記各回路基板へ供給される電源の電位が所定の範囲外になった場合に故障発生の警告を出力する電位監視手段と、前記電位監視手段によって故障発生の警告が出力された場合、前記各回路基板のスイッチ手段を順番に開閉するスイッチ制御手段とを備えておき、
いずれかの回路基板に設けられた電位監視手段から故障発生の警告が出力された場合、前記スイッチ制御手段によって前記スイッチ手段の開閉を順番に行い、前記電位監視手段からの警告がなくなった段階で故障個所を特定する
ことを特徴とする電源供給監視方法。
【発明の詳細な説明】
【０００１】
【発明の属する技術分野】
本発明は、電子回路の異常、故障状態の検出、診断に関し、特に複数の回路基板が接続されて形成される電子回路システムでの電源供給監視装置および電源供給監視方法に関する。
【０００２】
【従来の技術】
パーソナルコンピュータ、複写機等の電子機器には、近年、性能、機能の向上に伴い、益々、それらを実現するための様々な用途のアナログ、およびデジタルの電子回路がプリント基板の形で格納されてきている。
【０００３】
また、自動車や航空、ロボットや半導体設計装置等、他の産業機器においても動作制御等の手段として、信頼性が高く、高速・高精度での動作が可能な電子回路基板が数多く搭載されている。
【０００４】
これらの電子回路基板は一連の機能を実現するために、様々な形でケーブルを介して接続されることにより、所望のスペックが実現されている。このような基板が搭載される機器が使用される環境は、通常はオフィス内であったり、家屋内であったりするが、それ以外の過酷な環境下で使用される場合もあり、非常に多岐にわたっている。
【０００５】
特に使用環境が劣悪である場合には、通常の方法で使用していたとしても、検出が困難な様々な異常、故障が発生し、その修復には多大な労力を要することになる。
【０００６】
また、通常の使用環境下で使用している場合でも、電子回路の異常、故障は発生し、その頻度は必ずしも低いとは言えず、故障箇所を特定できないこともしばしば生じている。さらに、電子回路基板に異常が発生した場合には、安全性やコストなどの面から早急な対応が必要でもある。
【０００７】
上述した対応の一例として、複写機やプリンタ等の異常、故障情報の連絡が入った場合、修理担当者が現地に駆けつけて機器に記録されている故障個所情報や故障履歴の情報等をもとに故障部位の特定を行い、交換する、あるいは修復作業を行う、などの措置手段を講ずることがある。
【０００８】
あるいは、これらの機器がネットワークに接続されており、自動的にこれらの情報を管理する部署へ、状態の管理や故障情報等を伝送する場合には、これらの情報をあらかじめ解析した上で、修理担当者により、同様の措置が取られる。
【０００９】
しかし、上述のような異常、故障が発生した場合には、通常、機器は使用不可能となり、ダウンタイムが生じてしまう。これによるユーザ側のデメリットは非常に大きなものである。
【００１０】
また、メーカ側にとっても、故障部位の特定に手間取ったり、故障部位が必ずしも正確に特定できるとは限らず、故障と考えられる部分を全て交換する等の措置により、多大なコストが発生したり、あるいは修理そのものに時間がかかってしまう、マンパワー的な対応がおいつかない、といったような状況が発生している。従って、ユーザ側／メーカ側双方にとって多大な損失を被る状況が多発しているという事実がある。
【００１１】
そこで、故障部位を特定したり、発生自体を予測する場合、特定する精度を上げたり、特定するまでの時間的なロスを削減する、様々な異常、故障状態をもれなく把握する、これらの構成を簡単かつ低コストで実現する、といった方法について様々な試みがなされている。
【００１２】
これらの試みの中でも、特に回路に供給される電源自体に異常が生じていると故障検出を行うシステムが動作しない、という観点から、電源の供給状態についていくつかの提案がなされている。
【００１３】
電源の供給に関する監視については下記に記載した発明が見られる。例えば、特許文献１に係る「電力供給系」では、車両搭載バッテリから車両の各部に電力を供給する供給系について、電源線における異常電流を検出して供給系の不具合を検出する手法において、電流検出用の抵抗で発生する発熱を軽減する冷却装置の必要性を減じ、または完全ショートではなくレアショートのような半短絡状態では機能しない状況を改善することを目的として、複数本の供給配線を用意し、それぞれの配線にヒューズとスイッチング手段を設けた冗長構成をとることで供給経路を確保し、かつ安価な供給を可能とし、しかも省電力化を実現しようとしたものである。
【００１４】
また、特許文献２に係る「照明器具の監視装置」では、いわゆる回路基板であることは明示していないものの、照明器具の不点や劣化といったステータスについて一元的集中管理を行い、異常なステータスの未然検出を狙いとしたもので、各照明に電流検出センサを設け、この情報を統計処理することで実現しようとしている。
【００１５】
【特許文献１】
特開２０００−２９９９２７号公報
【特許文献２】
特開平８−１６００９０号公報
【００１６】
【発明が解決しようとする課題】
しかしながら、以上説明したとおり、複数の回路基板を接続して構成される電子回路における動作、性能等の異常、故障を検出、予測するシステムで、特に電源供給方法に関する従来例では、下記のような問題がある。
【００１７】
すなわち、複数の回路基板へ電源を供給する際に発生することが考えられる、電源供給ラインの異常による供給経路切断に伴う故障検出システムの未動作、基板上の部品やケーブル内部のショート等により瞬時的な大電流が流れることで発生するシステムダウンによる故障検出システムの未動作、そして基板上の部品やケーブル内部の故障等により発生する電流リークから生じる、供給電源電位のスペックアウトに伴う誤動作、に対して、故障が発生した箇所を基板単体単位、およびケーブル単位で検出することができない、という問題が発生する。
【００１８】
【課題を解決するための手段】
本発明は、このような課題を解決するために成されたものである。すなわち、本発明は、複数の回路基板が同じ電源から供給を受けている電子回路システムで、各々の回路基板の故障を検出する電源供給監視装置において、複数の回路基板の各々に設けられ、各回路基板と前記電源との回路を各々開閉できるスイッチ手段と、複数の回路基板の各々に設けられ、各回路基板へ供給される電源の電位が所定の範囲外になった場合に故障発生の警告を出力する電位監視手段と、電位監視手段によって故障発生の警告が出力された場合、前記各回路基板のスイッチ手段を順番に開閉するスイッチ制御手段とを備えており、スイッチ制御手段によるスイッチ手段の開閉によって電位監視手段からの警告が出力されてなくなることによって故障箇所を特定するものである。
【００１９】
このような本発明では、電位監視手段によって電位が所定の範囲外になったことを示す警告が出力された場合、スイッチ制御手段によって各回路基板のスイッチ手段を順番に開閉しており、これによって電位監視手段による警告がなくなることでどの回路基板や接続線による故障かを容易かつ的確に判断することができるようになる。
【００２０】
【発明の実施の形態】
以下、本発明の実施の形態を図に基づき説明する。図１は本発明の実施の形態を示している。この電子回路システムでは、複数の回路基板３１，３２，３３，３４，３５，３６…から構成されてなる回路基板群に、Ｖ０の電位を供給する電源１０およびＶ１の電位を供給する電源１１から各電源電位が供給されている。
【００２１】
各基板内部には各供給電源によって駆動される回路群３０があり、各基板群への供給電源入力部分と各供給電源によって駆動される回路群との間には、電源供給を切り離すことが可能な切り離し部３１１、３１２、３２１，３２２，３３１、３３２，３４１，３４２，３５１，３５２，３６１，３６２…と、切り離し部部３１１、３１２、３２１，３２２，３３１、３３２，３４１，３４２，３５１，３５２，３６１，３６２…から回路群へ供給される電源電位を測定することができる電位監視部２とを設けている。
【００２２】
また、切り離し部３１１、３１２、３２１，３２２，３３１、３３２，３４１，３４２，３５１，３５２，３６１，３６２…の近傍には回路基板３１，３２，３３，３４，３５，３６…へ供給される電源をささえる静電コンデンサ４が設けてある。
【００２３】
切り離し部３１１、３１２、３２１，３２２，３３１、３３２，３４１，３４２，３５１，３５２，３６１，３６２…はスイッチと、異常電流が流れた場合には焼ききれるか一時的にＯＦＦになるような仕組みを用意する。例えば、電源供給をＯＮ（閉）／ＯＦＦ（開）するスイッチに、直列に各基板および基板群の定格ぎりぎりの値のヒューズを挿入し、片側を回路基板側へ接続する。
【００２４】
スイッチングをコントロールする信号の操作は他の電源電位で駆動されるコントローラなどで行われる。電源１０および１１に直接接続されていない基板は、切り離し部３１１、３１２、３２１，３２２，３３１、３３２，３４１，３４２，３５１，３５２，３６１，３６２…を介した後、電源を供給される基板の電位監視部２によって電源電位をモニタしている部分と同じところから供給されている。
【００２５】
点線Ａ、Ｂ…で囲んだエリアは、電源１０および１１に直接接続されている基板と、その基板を介して電源を供給されている基板群とをひとまとまりとしてあらわしたものである。同様に、点線ａ，ｂ，ｃ…で囲んだエリアは、回路基板３１から供給される電源に直接接続された基板３３、３４、３５…とその基板を介して電源を供給されている基板群とをひとまとまりとしてあらわしたものである。
【００２６】
故障が発生した際の検出順序として、電源１０に異常が発生している場合、点線Ａ，Ｂ…のエリアのうち、異常が発生しているエリアを最初に特定する。例えば、基板３５の静電コンデンサ４が異常をきたしてリークしているために、他の全ての基板へ供給されている電源１０の値が仕様を下回ってしまっている場合、点線Ａ，Ｂ…のエリアうち、電源１０と直接接続されている基板３１、３２、…の切り離し部３１２、３２２、…を順次、回路基板への供給をＯＦＦにしていく。
【００２７】
すると、切り離し部３１２をＯＦＦにした場合に、点線Ａのエリア以外の回路基板へ供給される電源１０の値を監視している電位監視部２は異常状態から正常状態に戻ったことを知らせる。そこで、異常は点線Ａのエリア内の回路基板群にあることがわかる。
【００２８】
同様にして、今度は回路基板３１に直接接続されている回路基板３３、３４、３５…の切り離し部３３１，３４１，３５１、…を順次ＯＦＦにして回路基板への電源供給をストップしていく。すると、先ほどと同様にどこかの基板群で異常が発生していれば、その基板の切り離し部をＯＦＦにすれば、供給される電源電位は元に戻るはずである。あるいは元に戻らない場合には、基板３１に異常が発生していると考えることができる。以下、同様にして最終的に異常が発生している基板を発見することができる。
【００２９】
別の故障として、異常電流が発生し、何らかの理由で瞬時に基板３３の静電コンデンサ４がショートしてしまった場合を想定する。この場合、異常電流が流れる経路は回路基板３１の切り離し部３１１を介して回路基板３３の切り離し部３３１から破壊した静電コンデンサ４を介してＧＮＤ（接地）へ通ずる行程である。
【００３０】
この異常電流が流れる経路において、明らかに電源１０から離れるほどヒューズの定格値は小さくなるので、焼ききれるヒューズは回路基板３３の切り離し部３３１のヒューズである。
【００３１】
切り離し部３３１のヒューズが焼ききれると、基板３３の電源電位を監視している電位監視部２が電源１０の電位が異常をきたしていることを告げる。このようにして異常を発生している基板が特定できる。
【００３２】
また、さらに別の故障として、電源を供給している経路配線が途中で切断されてしまった場合を考える。この場合、最初の方法で述べてきた手順をたどっていくことで、どの基板の入力直前で切断が起こっているかを調査する。
【００３３】
例えば、電源１０の電位が回路基板３３の直前のケーブルが外れているために、全体として動作しない場合には、点線ａのエリア内部の各回路基板群の各電位監視部２が全て、電源１０の電位が仕様の範囲外にあることを告げることで、ケーブルを含む供給経路に異常が発生していることが確認できる。
【００３４】
仮に、さらに切断が発生している場合には、回路基板３３の直前の接続を正常状態に戻したときに、異常が発生している接続部以下の回路基板群の電位監視部２がすべて異常状態であることを告げる。このようにして、異常を確認することができる。
【００３５】
これに対して、図２は従来の電源の故障発生への対応について、一例を示したものである。電源１０および１１から全ての回路基板１３１，１３２，１３３，１３４，１３５，１３６…へ直接電源が供給される接続で構成されており、電源１０および１１の近傍に定格電流を超える電流が流れると焼ききれるヒューズ６を電源供給ラインにシリアルに挿入している。
【００３６】
これにより、例えば電源１０が回路基板１３３へ供給されているとき、この回路基板上の静電コンデンサ４がＧＮＤとの間でショートしてしまい、瞬時大電流が流れると、電源１０の近傍の電源ラインに直列に挿入されたヒューズ６が焼ききれて、電源の供給をストップする構成になっている。
【００３７】
この場合、まず電源に異常があることをヒューズが焼ききれていることにより発見した上で、どの基板がおかしいかについては、一枚一枚観察していくしかない。また、リークによる電源電位のスペックアウトや供給経路切断による動作不良については、このシステムでは故障基板を特定することはできない、ということがわかる。
【００３８】
図３は本実施形態の電源供給監視方法における一連の流れを表すフローチャートである。故障検出システムを駆動するための電源供給システムに発生しうる異常状態であるＳ１１，Ｓ２１，Ｓ３１について、以下に示す流れにより、異常を発見する。
【００３９】
最初にすべての回路基板で電位監視部から異常が発生したことを示す出力があった場合（Ｓ１１）、リークによって異常を知らせる電位監視部１２で監視する電源１０または１１の電位が仕様の範囲を逸脱していると判断し、例えば電源１０の電位の異常を通知している場合には、大元の電源１０と直接接続されている回路基板３１、３２、…の切り離し部３１１，３２１…を順次ＯＦＦしていく（Ｓ１２）。
【００４０】
これを行うと、どこかの切り離し部をＯＦＦした時点で電位が元に戻り、異常を知らせていた電位監視部１２からの出力値も正常値に戻る。そこで、正常値に戻ったときにＯＦＦした切り離し部の回路基板とおよびその回路基板と直接接続されている回路基板とで構成される群に異常をきたしているところがある、と判断し、正常値に戻ったときにＯＦＦした切り離し部の回路基板と直接接続されている回路基板の切り離し部を順次ＯＦＦしていく（Ｓ１３）。
【００４１】
このようにして、最終的に切り離す回路基板の枚数が１枚になるまで、この作業を繰り返す（Ｓ１４）。切り離し部をＯＦＦしたときに電位が正常値に戻る回路基板を特定することができたら、その回路基板を交換する（Ｓ１５）。
【００４２】
次に、全てではないが一部の回路基板群の電位監視部から異常が出力されている場合（Ｓ２１）、異常が出力されている回路基板群への電源供給経路が何らかの状態で切断されて電源が未供給の状態にあるものと判断し、異常が出力されている回路基板群へ供給されている電源供給経路の最上流部、すなわち電源１０または１１から供給経路上で最も近い位置にある回路基板の切り離し部にあるヒューズまたはそれに準ずる素子が焼ききれていないかどうかを確認する（Ｓ２２、Ｓ２３）。
【００４３】
切り離し部にあるヒューズまたはそれに準ずる素子やその周辺の回路基板上の経路に異常が発見された場合にはその回路基板を交換し（Ｓ２５）、そうでない場合にはその回路基板へ電源を供給するために接続されているケーブルを交換する（Ｓ２４）。
【００４４】
また、１枚の回路基板のみの電位監視部から異常が出力されている場合には（Ｓ３１）、電源を供給する経路の最終段にある回路基板の異常と判断し、その回路基板を交換する（Ｓ３２）。
【００４５】
上述したように、電源供給に関する３つの異常パターンについて対処したあと、さらに異常が発生しているかどうかを確認し（Ｓ４１）、まだ異常が発生している回路基板がある場合には、最初に戻って検出処理を行い、異常が確認されない場合には検出処理を終了する。
【００４６】
図４、図５、図６は、本発明の具体的な実施例を示している。図４は本実施例で適用する構成を示している。５Ｖと１２Ｖの２種類の電源で駆動する回路基板群があり、回路基板５１と回路基板５２が５Ｖ電源２１と１２Ｖ電源２２に直接接続されている。
【００４７】
回路基板５１、５２、５３、５４、５５には５Ｖおよび１２Ｖで動作する駆動領域がそれぞれ存在し、それらへ供給される電源は各回路基板へ入力されると電源供給を切り離す切り離し部５１１，５１２，５２１，５２２，５３１，５３２，５４１，５４２，５５１，５５２を介して供給される。
【００４８】
電位監視部１２は切り離し部５１１，５１２，５２１，５２２，５３１，５３２，５４１，５４２，５５１，５５２を介して駆動領域へ供給される側の電源電位を常時モニタしている。
【００４９】
また、切り離し部５１１，５１２，５２１，５２２，５３１，５３２，５４１，５４２，５５１，５５２のＯＮ／ＯＦＦの制御を行うスイッチ制御部１３は、５Ｖの電源供給の切り離しを行う切り離し部５１１，５２１，５３１，５４１，５５１を制御するスイッチ制御部１３が１２Ｖ電源２２により駆動され、１２Ｖの電源供給の切り離しを行う切り離し部５１２，５２２，５３２，５４２，５５２を制御するスイッチ制御部１３が５Ｖ電源２１により駆動されるように構成されている。
【００５０】
したがって、切り離し部５１１，５２１，５３１，５４１，５５１のＯＮ状態は５Ｖの電源電位で駆動可能な素子、たとえば低ＯＮ抵抗を有するＭＯＳＦＥＴ等を用いるようにするものとする。また切り離し部５１２，５２２，５３２，５４２，５５２は搭載される各回路基板が有する定格電流値を上回る電流値が流れた場合には、その電流が流れた電源供給経路を切断するヒューズ等の手段を有するものとする。あるいは適用する切り離し手段としてのＭＯＳＦＥＴ等のスイッチ手段がこの機能を兼ね備える構成でもよい。
【００５１】
回路基板５３、５４への５Ｖおよび１２Ｖの電源供給は、回路基板５１の切り離し部５１１，５１２を介して各電源電位による駆動領域と同じ側から接続されるように構成し、回路基板５１の切り離し部５１１，５１２により回路基板５３および５４への電源供給も切り離すことが可能な接続になっている。
【００５２】
また、回路基板５３および５４への５Ｖおよび１２Ｖ電源の供給経路の構成は、回路基板５１からみて並列に接続されている。全く同様に回路基板５５への５Ｖおよび１２Ｖ電源の供給は、回路基板５２の切り離し部５２１，５２２を介して各電源電位による駆動領域と同じ側から接続されるように構成し、回路基板５２の切り離し部５２１，５２２により回路基板５５への電源供給も切り離すことが可能な接続になっている。
【００５３】
ここで、図５にあるように回路基板５３において、５Ｖ電源によって駆動される回路のうち、回路基板５５に設けられたデカップリングコンデンサ６１に異常が発生して（図中×印参照）、５Ｖ電源からＧＮＤへ向けてリーク電流が流れ、５Ｖ電源電位が仕様の範囲である４．５Ｖから５．５Ｖの間を逸脱して４Ｖになる状況が発生したとする。
【００５４】
この場合、各回路基板５１，５２，５３，５４，５５の切り離し部５１１，５１２，５２１，５２２，５３１，５３２，５４１，５４２，５５１，５５２が接続状態である間は、全ての回路基板に供給される５Ｖ電源の電位は４Ｖに降下した状態である。ここで、５Ｖ電源２１に直接接続されている切り離し部５１１，５２１，５３１，５４１，５５１を順次ＯＦＦにし、５Ｖ電源と各回路基板との間を切り離していく。
【００５５】
最初に回路基板５１の５Ｖ電源の切り離し部５１１をＯＦＦとし、次に回路基板５２の５Ｖ電源の切り離し部５２１をＯＦＦとする。すると、回路基板５２の５Ｖ電源の切り離し部５２１をＯＦＦとすることにより、５Ｖ電源の電位が正常値となり仕様の範囲内に収まったことが、回路基板５１、５３，５４の各電源電位監視部１２からの出力により通知される。
【００５６】
したがって、電源に異常をもたらしている原因が回路基板５１，５３，５４ではなく、回路基板５２または５５のいずれかであることを確認することができる。
【００５７】
そこで、次に回路基板５５の５Ｖ電源の切り離し部５５１をＯＦＦにする。すると、回路基板５５以外の回路基板の５Ｖ電源電位が仕様の範囲内に収まったことが、各回路基板上の５Ｖ電源電位監視部１２からの出力により通知される。したがって、この場合回路基板５５の電源に異常が発生したことを知ることが可能となる。
【００５８】
次に、別の異常が発生した状況として、図６にあるように回路基板５１と回路基板５４とを接続している電源供給ケーブルが図中×印７１で示した箇所で何らかの理由によって切断しているものとする。
【００５９】
この場合、各回路基板の１２Ｖ電源の電位監視部１２のうち、回路基板５４および５６に搭載されている１２Ｖ電源の電位監視部１２の出力から異常が通知される。
【００６０】
異常通知が回路基板５４と５６という複数、かつ一つの塊としての群をなす回路基板から発せられていることから、電源供給経路に異常が発生していると判断し、その回路基板群５４、および５６へ電源を供給している供給経路の最上流部、すなわち回路基板５１と回路基板５４との間の１２Ｖ電源供給経路に異常が発生したことを知ることが可能となる。
【００６１】
上記実施例では複数の供給電源を備える回路システムの場合を例としたが、供給電源が１種類の場合には、電流センサのように電流を測定する手段を、回路基板の電流定格値を反映したヒューズとともに各回路基板の切り離し部に設ける。
【００６２】
すると、リークが発生している回路基板上に設けられた電流センサのみが定常状態において通常より大きな電流値を指し示すことになるため、電流センサの出力値から異常を発生している回路基板を特定することが可能となる。
【００６３】
なお、本実施例で用いた切り離し手段としてのＭＯＳＦＥＴやヒューズ、あるいは電流測定手段として例示した電流センサ等については、同等機能としての他の手段を用いることが可能である。
【００６４】
また、このような本発明は、複写機、ファクシミリ、プリンタ等の機器において適用することにより、保守性の向上やダウンタイムの減少を図り、ユーザ側／メーカ側双方にとって非常に有効な手段となる。
【００６５】
【発明の効果】
以上で説明したように、本発明によれば、複数のプリント基板から構成される電子回路システムにおいて、故障検出を行うシステムを駆動する電源供給に関する異常が発生した場合に、各異常の種類に応じた対応を非常に簡単な構成で実現することにより、どの基板等が異常を発生しているかを容易かつ確実に特定することが可能となる。
【図面の簡単な説明】
【図１】本発明の実施の形態を説明する図である。
【図２】従来例を説明する図である。
【図３】本発明の実施の形態を説明するフローチャートである。
【図４】本発明の詳細な実施例を説明する図（その１）である。
【図５】本発明の詳細な実施例を説明する図（その２）である。
【図６】本発明の詳細な実施例を説明する図（その３）である。
【符号の説明】
２，１２…電位監視部、１０，１１…電源、１３…スイッチ制御部、４，１４…静電コンデンサ、３１１，３１２…切り離し部、５１１，５１２…切り離し部
【図１】
2004109056.tif 000003
【図２】
2004109056.tif 000004
【図３】
2004109056.tif 000005
【図４】
2004109056.tif 000006
【図５】
2004109056.tif 000007
【図６】
2004109056.tif 000008